(57)【要約】【課題】災害時、緊急時に適応する即応型のスーツケース型ワンタッチ式簡易ベッドを提供すること。【解決手段】上面に開口部（１’）を有する箱状スーツケース型本体（１）と、該スーツケース型本体（１）に蝶番（４）によってヒンジ結合され０〜９０°の角度で開閉可能にされた箱状蓋体（２）とからなり、該蓋体（２）は該スーツケース型本体（１）に対しストッパー付きステー（５）で結合されており、該スーツケース型本体（１）内には、該開口部（１’）の一部を覆って張設された板状のベッド部材（６）と、防災用品収納庫（７）とが設けられ、そして該スーツケース型本体（１）と該蓋体（２）のそれぞれの長さ方向（長辺）の立ち上がり壁部（１ａ），（２ａ）の上辺（１ａａ），（２ａａ）の間に張り渡される目隠し用のロールカーテン（３）を備えていることを特徴とするスーツケース型ワンタッチ式緊急用簡易ベッド。【選択図】図１
2012245155.tif 000002
【特許請求の範囲】
【請求項１】
上面に開口部（１’）を有する箱状スーツケース型本体（１）と、該スーツケース型本体（１）に蝶番（４）によってヒンジ結合され０〜９０°の角度で開閉可能にされた箱状蓋体（２）とからなり、該蓋体（２）は該スーツケース型本体（１）に対しストッパー付きステー（５）で結合されており、該スーツケース型本体（１）内には、該開口部（１’）の一部を覆って張設された板状のベッド部材（６）と、防災用品収納庫（７）とが設けられ、そして該スーツケース型本体（１）と該蓋体（２）のそれぞれの長さ方向（長辺）の立ち上がり壁部（１ａ），（２ａ）の上辺（１ａａ），（２ａａ）の間に張り渡される目隠し用のロールカーテン（３）を備えていることを特徴とするスーツケース型ワンタッチ式緊急用簡易ベッド。
【請求項２】
該スーツケース型本体（１）の蝶番（４）が設けられた長さ方向（長辺）の立ち上がり壁部（１ｃ）、及び／又は該蓋体（２）の蝶番（４）が設けられた長さ方向（長辺）の立ち上がり壁部（２ｃ）には、移動用のキャスター又は車輪（１０）が設けられていることを特徴とする請求項１に記載のスーツケース型ワンタッチ式緊急用簡易ベッド。
【請求項３】
該スーツケース型本体（１）の外表面の一部、及び／又は該蓋体（２）の外表面の一部には、表示灯（パトライト）（１１）、及び／又は蛍光塗料系の防災標識（１２）が設けられていることを特徴とする請求項１又は２に記載のスーツケース型ワンタッチ式緊急用簡易ベッド。
【請求項４】
該スーツケース型本体（１）、及び／又は該蓋体（２）が繊維強化プラスチックス（ＦＲＰ）から形成されていることを特徴とする請求項１〜３のいずれか１項に記載のスーツケース型ワンタッチ式緊急用簡易ベッド。
【請求項５】
該板状のベッド部材（６）が合成畳、又は防水畳で形成されていることを特徴とする請求項１〜４のいずれか１項に記載のスーツケース型ワンタッチ式緊急用簡易ベッド。
【発明の詳細な説明】
【技術分野】
【０００１】
本発明は、地震や台風の災害時に緊急に使用するワンタッチで展開することができる簡易ベッドに関する。
【背景技術】
【０００２】
従来の緊急用簡易ベッドにあっては、通常折りたたむ方式のものが多く、この種の折りたたみベッドは多くの部品の着脱や組み立て操作を要し緊急時には取り扱いが煩わしいものであった（例えば、特許文献１参照）。
【先行技術文献】
【特許文献】
【０００３】
【特許文献１】特開平０８−２９９１１２号公報
【発明の概要】
【発明が解決しようとする課題】
【０００４】
本発明は、従来の緊急用簡易ベッドの有している上記問題を解決しようとするものであり、災害時、緊急時に適応する即応型の簡易ベッドを提供することを目的とするものである。
【課題を解決するための手段】
【０００５】
本発明は、上記目的を達成するために開発されたワンタッチ操作で速やかに展開し、即座に利用することができる緊急用簡易ベッドであって、以下の構成からなるものである。
１．上面に開口部（１’）を有する箱状スーツケース型本体（１）と、該スーツケース型本体（１）に蝶番（４）によってヒンジ結合され０〜９０°の角度で開閉可能にされた箱状蓋体（２）とからなり、該蓋体（２）は該スーツケース型本体（１）に対しストッパー付きステー（５）で結合されており、該スーツケース型本体（１）内には、該開口部（１’）の一部を覆って張設された板状のベッド部材（６）と、防災用品収納庫（７）とが設けられ、そして該スーツケース型本体（１）と該蓋体（２）のそれぞれの長さ方向（長辺）の立ち上がり壁部（１ａ），（２ａ）の上辺（１ａａ），（２ａａ）の間に張り渡される目隠し用のロールカーテン（３）を備えていることを特徴とするスーツケース型ワンタッチ式緊急用簡易ベッド。
２．該スーツケース型本体（１）の蝶番（４）が設けられた長さ方向（長辺）の立ち上がり壁部（１ｃ）、及び／又は該蓋体（２）の蝶番（４）が設けられた長さ方向（長辺）の立ち上がり壁部（２ｃ）には、移動用のキャスター又は車輪（１０）が設けられていることを特徴とする上記１に記載のスーツケース型ワンタッチ式緊急用簡易ベッド。
３．該スーツケース型本体（１）の外表面の一部、及び／又は該蓋体（２）の外表面の一部には、表示灯（パトライト）（１１）、及び／又は蛍光塗料系の防災標識（１２）が設けられていることを特徴とする上記１又は２に記載のスーツケース型ワンタッチ式緊急用簡易ベッド。
４．該スーツケース型本体（１）、及び／又は該蓋体（２）が繊維強化プラスチックス（ＦＲＰ）から形成されていることを特徴とする上記１〜３のいずれかに記載のスーツケース型ワンタッチ式緊急用簡易ベッド。
５．該板状のベッド部材（６）が合成畳、又は防水畳で形成されていることを特徴とする上記１〜４のいずれかに記載のスーツケース型ワンタッチ式緊急用簡易ベッド。
【発明の効果】
【０００６】
本発明の緊急用簡易ベッドは、多くの部品の着脱や組み立て操作を要とせず、ワンタッ
チ操作で速やかに広げて使用することができるので緊急用簡易ベッドとして貢献すること大である。
【図面の簡単な説明】
【０００７】
【図１】本発明の緊急用簡易ベッドの開いた状態の全体斜視図である。
【図２】本発明の緊急用簡易ベッドの閉じた状態の全体斜視図である。
【図３】本発明の緊急用簡易ベッドの開いた状態の上面図（ａ）と、その左側面図（ｂ）である。
【図４】本発明の緊急用簡易ベッドを多数並べて使用する状態を示す図である。
【図５】本発明の緊急用簡易ベッドの箱状蓋体２の外表面に表示灯（パトライト）１１と、蛍光塗料系の防災標識１２を設けて使用する状態を示す上面図（ａ）と、その左側面図（ｂ）である。
【図６】板状ベッド部材６の下に複数枚の畳を収納する場合の説明図である。
【発明を実施するための形態】
【０００８】
以下、本発明の実施の形態を図１〜６に基づいて説明する。
図１において、１はその上面開口部１’を有する箱状スーツケース型本体で、その上面には該開口部１’を密閉閉塞する箱状蓋体２が蝶番４（図３の（ｂ）参照）によってヒンジ結合され０〜９０°の角度で開閉可能に結合されている。
この箱状スーツケース型本体１と箱状蓋体２とは、箱状蓋体２が０〜９０°で閉じられ、あるいは開かれた状態を維持できるようにストッパー付きステー５の両端部がそれらの幅方向（短辺）の立ち上がり壁部１ｂ，２ｂの内面に該ステー５が斜めになるように取り付けられている。このストッパー付きステー５は対称位置に同じように１対で設けられるのが好ましい。
【０００９】
３はロールカーテンで、箱状スーツケース型本体１と箱状蓋体２のそれぞれの長さ方向（長辺）の立ち上がり壁部１ａ，２ａ（即ち、図３（ｂ）で示される蝶番４が設けられた長さ方向（長辺）の立ち上がり壁部１ｃ，２ｃに各々対向する壁部に該当する。）の上辺１ａａ，２ａａの間に張り渡され目隠しとなるものである。
６は箱状スーツケース型本体１の開口部１’の一部を覆って張設された板状のベッド部材である。
７は防災用品収納庫であり、非常用食品、ペットボトル、懐中電灯、マッチ、マスク等の防災用品を収容しておく格納庫である。尚、上記板状のベッド部材６の下も格納庫として利用でき、枕、マット、毛布等の寝具類を収納でき、更には若干サイズの小さい畳を複数枚重ね合わせて収納しておき、本発明の簡易ベッドが行き渡らない人に支給できるようにすることもできる（図６参照）。７ａは防災用品収納庫の蓋である。
【００１０】
８はロールカーテンの先端に設けられた係止具（図示せず）を引っ掛けるフックである。ロールカーテン３の巻き取り収納部（図示せず）は、箱状蓋体２の長さ方向（長辺）の立ち上がり壁部２ａの内面に取り付けられる。尚、該巻き取り収納部はこれとは逆に箱状スーツケース型本体１の長さ方向（長辺）の立ち上がり壁部１ａの内面に取り付けられてもよい。この場合には、上記フック８は、箱状蓋体２の長さ方向（長辺）の立ち上がり壁部２ａの内面の上記係止具に対応する位置に設けられる。
９は箱状スーツケース型本体１と箱状蓋体２を開くため、又は後述するロープや帯等をとりつけるため等に用いられる取り付け金具である。
【００１１】
本発明の緊急用簡易ベッドは、箱状スーツケース型本体１と箱状蓋体２が一体に閉じられた状態において、図３（ｂ），または図４に示される該スーツケース型本体１の蝶番４が設けられた長さ方向（長辺）の立ち上がり壁部１ｃ（接地部分）、及び／又は該蓋体２の蝶番４が設けられた長さ方向（長辺）の立ち上がり壁部２ｃ（接地部分）に設けられた
移動用のキャスター又は車輪１０により移動が簡単にできるようになっている。
【００１２】
本発明の緊急用簡易ベッドの各構成部材の材料は、各々の構成部材の機能が発揮されるものであれば何ら制限なく使用することができる。例えば、箱状スーツケース型本体１と箱状蓋体２の材料は、金属、プラスチックスの中から適宜選択でき、中でも軽量で十分な強度を有する繊維強化プラスチックス（ＦＲＰ）が好ましい。
また、箱状スーツケース型本体１の開口部１’の一部又は主要部を覆っている板状のベッド部材６は、寝心地を考慮して、また水害の場合に備えて、合成畳、防水畳からなるものが望ましい。
図４は、本発明の緊急用簡易ベッドを多数並べて使用する状態を示す図（左側面図）である。この場合には、ロールカーテン３は一番右側のロールカーテン３を除き、全てロールカーテン３の先端に設けられた係止具（図示せず）を右隣の箱状蓋体２に設けた上記フック８又は取り付け金具９に引っ掛けるようにして水平に張り渡して使用してもよい。
【００１３】
本発明の緊急用簡易ベッドは、構成部材の大半をＦＲＰで構成しておくことにより、地震や台風の災害時に水難事故に遭遇した場合、即応の救命浮体として使用できる。尚このような場合が想定される際には、体を系止するための上記ロープや帯等を取り付け金具９に取り付けておくことが好ましい。
また、同時に図５に示すように、該スーツケース型本体１の外表面の一部、及び／又は該蓋体２の外表面の一部に、表示灯（パトライト）１１、及び／又は蛍光塗料系の防災標識１２を設けておくと、海、水面に浮いている遭難者や、遭難場所発見の手がかりともなり好ましい。
本発明の緊急用簡易ベッドのサイズは、例えば、全体の長さ寸法（長辺寸法）１８００〜２０００ｍｍ，幅寸法（短辺寸法）が１０００〜１５００ｍｍ，箱状スーツケース型本体１、及び箱状蓋体２の立ち上がり壁部の立ち上がり寸法が各々１００〜５００ｍｍであって良い。
【００１４】
本発明の緊急用簡易ベッドは以上述べたことから明らかなように、災害時、緊急時には取り付け金具９，９に手を掛けワンタッチ操作で箱状スーツケース型本体１と箱状蓋体２を９０°開き、ロールカーテン３を引き出してその先端に設けられた係止具をフック８に引っ掛けて目隠しとし、ベッドとして利用する。板状のベッド部材６には、要すればその下に収納されていたマットレスを敷き、毛布を上掛けにし、防災用品収納庫蓋７ａの上には枕をおいて休むようにする。
不使用時には箱状スーツケース型本体１と箱状蓋体２をワンタッチ操作で一体にして閉じ、キャスター又は車輪１０を利用して格納庫にスピーディに収容できる。
【符号の説明】
【００１５】
１    箱状スーツケース型本体
１’  開口部
１ａ  長さ方向（長辺）の立ち上がり壁部
１ａａ  上辺
１ｂ  幅方向（短辺）の立ち上がり壁部
１ｃ  蝶番４が設けられた長さ方向（長辺）の立ち上がり壁部（接地部分）
２    箱状蓋体
２’  開口部
２ａ  長さ方向（長辺）の立ち上がり壁部
２ａａ  上辺
２ｂ  幅方向（短辺）の立ち上がり壁部
２ｃ  蝶番４が設けられた長さ方向（長辺）の立ち上がり壁部（接地部分）
３    ロールカーテン
４    蝶番
５    ストッパー付きステー
６    板状のベッド部材
７    防災用品収納庫
７ａ  蓋
８    フック
９    取り付け金具
１０  キャスター又は車輪
１１  表示灯（パトライト）
１２  蛍光塗料系の防災標識
【図１】
2012245155.tif 000003
【図２】
2012245155.tif 000004
【図３】
2012245155.tif 000005
【図４】
2012245155.tif 000006
【図５】
2012245155.tif 000007
【図６】
2012245155.tif 000008